(57)【要約】【課題】携帯電話装置から放射される電波による人体への安全性を確保しつつ、メールサービスやインターネットサービス利用時における電波の送受特性に優れている携帯電話装置を提供する。【解決手段】無線通信として通話およびデータ通信の両方を行うことが可能な携帯電話装置である。操作に際して操作者に把持されると共に、通話時に操作者の耳元にあてがわれるスピーカが内蔵された筐体（６１、６２）と、無線信号を送受する無線部とを有している。筐体（６１、６２）のうちのスピーカから可及的離れた位置に備えられた第１のアンテナ（７１）と、筐体（６１、６２）のうちの操作者に把持される部分から可及的離れた位置に備えられた第２のアンテナ（７２）と、通話時には無線部を第１のアンテナ（７１）に接続する一方、データ通信時には無線部を第２のアンテナ（７２）に接続するアンテナ切り換え器とを有している。【選択図】      図２
2004328251.tif 000002
【特許請求の範囲】
【請求項１】
無線通信として通話およびデータ通信の両方を行うことが可能な携帯電話装置であって、操作に際して操作者に把持されると共に、通話時に操作者の耳元にあてがわれるスピーカが内蔵された筐体と、無線信号を送受する無線部とを有する携帯電話装置において、
前記筐体のうちの前記スピーカから可及的離れた位置に備えられた第１のアンテナと、
前記筐体のうちの操作者に把持される部分から可及的離れた位置に備えられた第２のアンテナと、
通話時には前記無線部を前記第１のアンテナに接続する一方、データ通信時には該無線部を前記第２のアンテナに接続するアンテナ切り換え器とを有することを特徴とする携帯電話装置。
【請求項２】
前記筐体は、ヒンジ部を介して折り畳み可能な下筐体と上筐体とにより構成されており、
前記下筐体は、その前記ヒンジ部とは反対の端部が、操作に際して操作者に把持されるものであり、
前記第１のアンテナは、前記下筐体の前記ヒンジ部とは反対の端部に備えらている請求項１に記載の携帯電話装置。
【請求項３】
前記第２のアンテナは、前記下筐体の前記ヒンジ部に備えらている請求項２に記載の携帯電話装置。
【請求項４】
前記第２のアンテナは、前記下筐体の前記ヒンジ部に該下筐体から突出可能に備えらている請求項３に記載の携帯電話装置。
【請求項５】
前記第２のアンテナは、前記上筐体に備えらている請求項２に記載の携帯電話装置。
【請求項６】
前記第２のアンテナは、前記上筐体に該上筐体から突出可能に備えらている請求項３に記載の携帯電話装置。
【請求項７】
前記第２のアンテナは、前記上筐体の前記ヒンジ部とは反対の端部に備えらている請求項５または６に記載の携帯電話装置。
【請求項８】
前記アンテナ切り換え器は、着信待ち受け時には前記無線部を前記第１のアンテナに接続する請求項１乃至７のいずれかに記載の携帯電話装置。
【請求項９】
前記アンテナ切り換え器は、着信待ち受け時には前記無線部を前記第２のアンテナに接続する請求項１乃至７のいずれかに記載の携帯電話装置。
【発明の詳細な説明】
【０００１】
【発明の属する技術分野】
本発明は、無線通信を行う携帯電話装置に関し、特に、無線通信として通話およびデータ通信の両方を行うことが可能な携帯電話装置に関する。
【０００２】
【従来の技術】
近年、携帯電話装置や携帯ラジオ等に代表される無線通信機器が通信に使用する無線信号電波に関して様々な研究がなされている。特に、電波が人体に与える影響については、日本を含め世界的に研究がなされ、これらの研究に基づき、人体に与える影響に関して、十分な安全性を考慮し、「電波保護指針」等の基準が策定されている。この「電波保護指針」で定められている基準値は、国際非電離放射線保護委員会（ＩＣＮＩＲＰ）が策定している基準値と同等のものであり、日本のみならず世界各国で活用されており、世界保健機構（ＷＨＯ）やＩＮＣＩＲＰなどの国際機関では、「電波保護指針」で定められている基準値を満たしていれば、人体への影響および、健康への安全性が確保されるとしており、日本のみならず世界各国において国際的な考えとなっている。
【０００３】
これに対し、人体頭部、特に、脳のある頭上部のそばで使用する携帯電話装置等の移動体通信については、より一層の安全性を考慮され、特に、電波の人体吸収量の許容値を規定する動きが世界的に広がっている。日本においても、平成１４年６月より、携帯電話装置等を製造するメーカ等に対してこの許容値を守ることを義務付けた新たな法令が制定されている。
【０００４】
このような法令および人体への安全性を考慮し携帯電話装置の設計を考えたとき、電波を放射するアンテナの位置は、より頭上部から離れた位置に設計するのが望ましい。即ち、携帯電話装置を使用する際、必ず人体の頭上部にある耳と携帯電話装置とは接触するので、接触部より離れた位置にアンテナを設計することが望ましい。
【０００５】
従来の携帯電話装置では、アンテナの設置位置は、アンテナの電気的特性はさることながら、デザイン性等の観点から携帯電話装置の上筐体に設置されていた。これに対し、上述のような昨今の情勢から、アンテナの電気的特性を維持しつつ、アンテナの設置位置を人体の頭上部から離すデザインも見受けられるようになり、携帯電話装置の下筐体にアンテナを設置した携帯電話装置等も見受けられるようになった。
【０００６】
このような構成の携帯電話装置は、例えば、特開２００２−２２３１８５、特開２００１−２７４７３２、特開２００２−０６４３２９、および特開２００２−３６８８５０等に記載されている。
【０００７】
図１を参照して、この種の従来の携帯電話装置１０は、下筐体１１と、上筐体１２とを有している。下筐体１１と上筐体１２とからなる筐体は、ヒンジを介して折り畳み可能である。
【０００８】
下筐体１１には、その表面（内側面）に、発着信ボタン１３と、通信終了ボタン１４と、ダイアルボタン１５と、操作ボタン１６が備えられていると共に、その内部に、アンテナ２１が備えられている。
【０００９】
上筐体１２の表面（内側面）には、ディスプレイ１８が備えられている。
【００１０】
また、下筐体１１には、図示はしないが、無線通信をなすための無線部、携帯電話装置１０の電気的動作全般を制御するための制御部、ならびにマイクロフォンおよびスピーカのうちの少くともマイクロフォン等が内蔵されている。下筐体１１にはまた、図示はしないが、携帯電話装置１０に電力を供給するためのバッテリが着脱可能に取り付けられている。
【００１１】
上筐体１２には、ディスプレイ１８を駆動する画面駆動部およびスピーカ等が内蔵されている。
【００１２】
下筐体１１内の電気的部品と上筐体１２内の電気的部品とは、ヒンジ部内にてフレキシブルプリントケーブル等により電気的に接続されている。
【００１３】
通話の際ならびにデータ通信の際には、携帯電話装置１０は、下筐体１１と上筐体１２とが開かれた状態で、下筐体１１が使用者の手によって把持される。
【００１４】
そして、通話やデータ通信における発着信時や、データ通信における文字情報等の入力時には、携帯電話装置１０は、使用者の手元に位置する。
【００１５】
また、通話時には、下筐体１１の先端部が使用者の口元（頭下部）に、なおかつ、上筐体１２の先端部が使用者の耳元（頭上部）に位置する。
【００１６】
【特許文献１】
特開２００２−２２３１８５号公報
【００１７】
【特許文献２】
特開２００１−２７４７３２号公報
【００１８】
【特許文献３】
特開２００２−０６４３２９号公報
【００１９】
【特許文献４】
特開２００２−３６８８５０号公報
【００２０】
【発明が解決しようとする課題】
図１に示した例をも含め、従来の携帯電話装置では、その下筐体にアンテナを設置した際に、操作上、アンテナ特性を劣化させる問題が発生する。以下にその問題点を示す。
【００２１】
近年、携帯電話装置では音声通信など、従来の電話の機能以外に様々なサービスが利用可能である。特にメールサービスやインターネットサービスなどは、近年盛んに利用されており、携帯電話装置にメール送受信およびインターネット接続機能を持たせることは、広く一般化している。
【００２２】
尚、メールサービスとは、携帯電話装置を使用して、他の携帯電話装置またはネットワークに接続されているパソコンとの間で電子メールを送受信するサービスである。また、インターネットサービスとは、インターネット上の様々な情報を携帯電話装置でアクセスし、インターネット上に公開されている情報を携帯電話装置の液晶ディスプレイで閲覧するサービスである。
【００２３】
携帯電話装置の下筐体内にアンテナを設置した際、操作上、発生する問題点とは、これらメールサービスおよび、インターネットサービスの利用時に、操作者の手によってアンテナを覆い隠し、アンテナの電気的特性を劣化させ、通信品質を劣化させるという問題であって、その問題点を、図１を用いて説明する。
【００２４】
図１は従来の携帯電話装置の下筐体にアンテナを設計した場合の携帯電話装置の一構成を表しており、アンテナ２１とダイヤルボタン１５と操作ボタン１６とで構成されている。図１で示した従来の携帯電話装置を用いてメールサービスまたはインターネットサービスを実施する場合、ダイヤルボタン１５を押すことにより文字等の入力が可能となり、操作ボタン１６を押すことによりメールの送受信や、インターネットへのアクセスが可能となる。
【００２５】
よって、メールサービスや、インターネットサービスを実施する場合は、操作の都合上、必ず手の位置はアンテナ２１を覆うようにおかれる。その位置のまま、メールの送受信やインターネットにアクセスしようとした場合、アンテナ２１を手で覆ってしまっているため、アンテナ２１の電気的特性が劣化し基地局からの信号を受信できない。また、携帯電話装置から送信する信号を十分な電力で送信することもできない。即ち、メールの送受信ができないし、インターネットにアクセスしてインターネット上に公開されている情報を入手することができないといった問題が生じる。
【００２６】
それ故、本発明の課題は、上述した問題に鑑み、携帯電話装置から放射される電波による人体への安全性を確保しつつ、メールサービスやインターネットサービス利用時における電波の送受特性に優れている携帯電話装置を提供することである。
【００２７】
【課題を解決するための手段】
本発明によれば、無線通信として通話およびデータ通信の両方を行うことが可能な携帯電話装置であって、操作に際して操作者に把持されると共に、通話時に操作者の耳元にあてがわれるスピーカが内蔵された筐体と、無線信号を送受する無線部とを有する携帯電話装置において、前記筐体のうちの前記スピーカから可及的離れた位置に備えられた第１のアンテナと、前記筐体のうちの操作者に把持される部分から可及的離れた位置に備えられた第２のアンテナと、通話時には前記無線部を前記第１のアンテナに接続する一方、データ通信時には該無線部を前記第２のアンテナに接続するアンテナ切り換え器とを有することを特徴とする携帯電話装置が得られる。
【００２８】
本発明によればまた、前記筐体は、ヒンジ部を介して折り畳み可能な下筐体と上筐体とにより構成されており、前記下筐体は、その前記ヒンジ部とは反対の端部が、操作に際して操作者に把持されるものであり、前記第１のアンテナは、前記下筐体の前記ヒンジ部とは反対の端部に備えらている前記携帯電話装置が得られる。
【００２９】
本発明によればさらに、前記第２のアンテナは、前記下筐体の前記ヒンジ部に備えらている前記携帯電話装置が得られる。
【００３０】
また、本発明によれば、前記第２のアンテナは、前記下筐体の前記ヒンジ部に該下筐体から突出可能に備えらている前記携帯電話装置が得られる。
【００３１】
さらに、本発明によれば、前記第２のアンテナは、前記上筐体に備えらている前記携帯電話装置が得られる。
【００３２】
また、本発明によれば、前記第２のアンテナは、前記上筐体に該上筐体から突出可能に備えらている前記携帯電話装置が得られる。
【００３３】
さらに、本発明によれば、前記第２のアンテナは、前記上筐体の前記ヒンジ部とは反対の端部に備えらている前記携帯電話装置が得られる。
【００３４】
また、本発明によれば、前記アンテナ切り換え器は、着信待ち受け時には前記無線部を前記第１のアンテナに接続する前記携帯電話装置が得られる。
【００３５】
さらに、本発明によれば、前記アンテナ切り換え器は、着信待ち受け時には前記無線部を前記第２のアンテナに接続する前記携帯電話装置が得られる。
【００３６】
【発明の実施の形態】
以下、図面を参照して、本発明の実施の形態について詳細に説明する。
【００３７】
図２を参照して、従来の携帯電話装置と同様に、本携帯電話装置６０は、無線通信として通話およびデータ通信の両方を行うことが可能であって、操作に際して操作者に把持される下筐体６１と、上筐体６２とを有している。下筐体６１と上筐体６２とからなる筐体は、ヒンジを介して折り畳み可能である。下筐体６１には、その表面（内側面）に、発着信ボタン６３と、通信終了ボタン６４と、ダイアルボタン６５と、操作ボタン６６が備えられている。上筐体６２の表面（内側面）には、ディスプレイ６８が備えられている。
【００３８】
操作ボタン６６は、各種操作の１つとして、メールサービスおよびインターネットサービスの利用開始ならびに終了を命令するたものボタンをも含んでいるものとする。
【００３９】
下筐体６１にはまた、マイクロフォンおよびスピーカのうちの少くともマイクロフォンが内蔵されている。
【００４０】
上筐体６２にはまた、スピーカが内蔵されている。即ち、上筐体６２は、通話時に、操作者の耳元にあてがわれる。
【００４１】
下筐体６１の内部には、上筐体６２に内蔵されたスピーカから可及的離れた位置に備えられた第１のアンテナとしての、下部アンテナ７１が備えられている。
【００４２】
また、上筐体６２の先端部には、操作者に把持される下筐体６１から可及的離れた位置に備えられた第２のアンテナとしての、上部アンテナ７２が備えられている。尚、本例では、上部アンテナ７２は、ポップアップ式アンテナである。
【００４３】
図２および図３を参照して、下筐体６１にはさらに、無線信号を送受するための無線部８２、ならびに、携帯電話装置６０の電気的動作全般を制御するための制御部８１等が内蔵されている。下筐体６１にはさらにまた、図示はしないが、携帯電話装置６０に電力を供給するためのバッテリが着脱可能に取り付けられている。
【００４４】
上筐体６２にはさらに、ディスプレイ６８を駆動する画面駆動部等が内蔵されている。
【００４５】
下筐体６１内の電気的部品と上筐体６２内の電気的部品とは、ヒンジ部内にてフレキシブルプリントケーブル等により電気的に接続されている。
【００４６】
下筐体６１にはまた、通話時には無線部８２を下部アンテナ７１に接続する一方、データ通信時には無線部８２を上部アンテナ７２に接続するアンテナ切換器８３が備えられている。
【００４７】
通話の際ならびにデータ通信の際には、携帯電話装置６０は、下筐体６１と上筐体６２とが開かれた状態で、下筐体６１が使用者の手によって把持される。
【００４８】
そして、通話やデータ通信における発着信時や、データ通信における文字情報等の入力時には、携帯電話装置６０は、使用者の手元に位置する。
【００４９】
また、通話時には、下筐体６１の先端部が使用者の口元付近（頭下部）に、なおかつ、上筐体６２の先端部が使用者の耳付近（頭上部）に位置する。
【００５０】
このように、携帯電話装置６０は、下筐体６１と上筐体６２にそれぞれアンテナを有し、通常動作である待ち受け動作時や音声通話時には下部アンテナ７１を使用し、メールサービスおよびインターネットサービス時には上部アンテナ７２を使用する。
【００５１】
携帯電話装置６０は、メールサービスおよびインターネットサービスを利用する際、操作ボタン６６を用いてメール機能および、インターネット機能をオンさせることにより、メールサービスおよび、インターネットサービスが利用できる。
【００５２】
また、電話を掛ける場合や、電話を受ける場合には、発着信ボタン６３を押すことにより音声通話状態になり、音声通話時に通信終了ボタン６４を押すことにより音声通話状態から音声通話状態前の待ち受け動作状態やメールサービス、インターネットサービス利用状態に戻ることが可能である。
【００５３】
本発明の携帯電話装置は、待ち受け動作時および、音声通話時には、下部アンテナ７１を用いて基地局との無線通信を行う一方、メールサービスおよび、インターネットサービス利用時には、上部アンテナ７２を用いて基地局との無線通信を行う。
【００５４】
即ち、待ち受け動作時および、音声通話時には、下部アンテナ７１と無線部８２がアンテナ切換器８３を介して接続され、メールまたはインターネットサービス利用時には、上部アンテナ７２と無線部８２がアンテナ切換器８３を介して接続される。
【００５５】
尚、本実施の形態では、筐体がヒンジ部を介して折り畳み可能な下筐体６１と上筐体６２とにより構成され、下筐体のヒンジ部とは反対の端部が操作に際して操作者に把持されるものとしたが、本発明は、単一の筐体を有する携帯電話装置にも適用可能である。ただし、この場合にも、第１のアンテナ（下部アンテナ）は、通話時に操作者の耳元にあてがわれるスピーカから可及的離れた位置に備えられているべきである。
【００５６】
さらに、本発明において、第２のアンテナ（上部アンテナ）は、下筐体６１のヒンジ部に備えらていてもよい。
【００５７】
また、第２のアンテナ（上部アンテナ）は、下筐体６１のヒンジ部に下筐体６１から突出可能なポップアップ式、あるいは常時突出した形で、備えらていてもよい。
【００５８】
さらに、第２のアンテナ（上部アンテナ）は、上筐体６２から突出可能なポップアップ式でなくても、常時突出した形で備えらていてもよい
次に、図２および図３を参照して、本実施例の動作について説明する。
【００５９】
［待ち受け動作を実施している場合］
待ち受け動作中は、携帯電話装置６０は、基地局からの信号を下部アンテナ７１で受信し、受信された信号はアンテナ切換器８３と無線部８２を介して制御部８１に入力され処理される。
【００６０】
即ち、待ち受け動作中は、下部アンテナ７１を使用して基地局との信号のやり取りを実施する。
【００６１】
［待ち受け動作中から音声通話状態になる場合］
待ち受け動作中から音声通話状態になる場合には、アンテナが切り換ることは無く、待ち受け動作中と同様に、下部アンテナ７１を使用して基地局との信号のやり取りを実施する。
【００６２】
［待ち受け動作中からメールまたはインターネットサービス利用状態になる場合］
待ち受け動作状態からメールまたはインターネットサービス利用状態にするには、操作ボタン６６を押下し、メールサービスを利用する場合にはメール機能をオンし、また、インターネットサービスを利用する場合にはインターネット機能をオンする。
【００６３】
操作ボタン６６を押下し、それぞれの機能をオンした瞬間に、アンテナ切換器８３は、無線部８２と接続させるアンテナをそれまで使用していた下部アンテナ７１から上部アンテナ７２に切り換え動作を実施する。
【００６４】
この切り換え動作により、以後のメールまたはインターネットサービス利用状態では、上部アンテナ７２を使用して基地局との信号のやり取りを実施することになる。
【００６５】
［メールまたはインターネットサービス利用状態から待ち受け動作状態に戻る場合］
メールまたはインターネットサービス利用を終了するには操作ボタン６６を押下し、メールサービスを利用していた場合には、メール機能をオフ、インターネットサービスを利用していた場合には、インターネット機能をオフさせる。
【００６６】
操作ボタン６６を押下し、それぞれの機能をオフした瞬間に、アンテナ切換器８３は、無線部８２と接続させるアンテナをそれまで使用していた上部アンテナ７２から下部アンテナ７１に切り換え動作を実施する。
【００６７】
この切り換え動作により、待ち受け動作状態では、下部アンテナ７１を使用して基地局との信号のやり取りを実施する。
【００６８】
［メールまたはインターネットサービス利用状態から音声通話状態にする場合］
他者から電話が掛かってきた場合せよ、自分から電話を掛ける場合にせよ、発着信ボタン６３を押下することにより、音声通話状態になる。
【００６９】
メールまたはインターネットサービス利用状態中では、この発着信ボタン６３を押下し、音声通話状態になる瞬間に、アンテナ切換器８３は、無線部８２と接続させるアンテナをそれまで使用していた上部アンテナ７２から下部アンテナ７１に切り換え動作を実施する。
【００７０】
この切り換え動作により、以後の音声通話状態では、下部アンテナ７１を使用して基地局との信号のやり取りを実施することになる。
【００７１】
その後、通信終了ボタン６４を押下して音声通話状態を終了すると、アンテナ切換器８３は、無線部８２と接続させるアンテナを上部アンテナ７２から下部アンテナ７１に切り換え動作を実施する。
【００７２】
この切り換え動作により、音声通話状態からメールまたはインターネットサービス利用状態に戻った時には、再び上部アンテナ７２を使用して基地局との信号のやり取りを実施することになる。
【００７３】
尚、本実施の形態では、アンテナ切り換え器８３が着信待ち受け時に無線部８２を第１のアンテナ（下部アンテナ）７１に接続しているが、本発明において、アンテナ切り換え器８３は、着信待ち受け時に無線部８２を第２のアンテナ（上部アンテナ）７２に接続するものであってもよい。
【００７４】
以上の動作を、図４のフロー図を参照して説明する。
【００７５】
図４を参照して、待ち受け動作中は、下部アンテナ７１を使用して、基地局との信号のやり取りを実施する（ステップＳ１）。
【００７６】
待ち受け動作中にメールまたはインターネットサービスを利用するか否かの場合（ステップＳ２）、即ち、ステップＳ２の第一の分岐のＹＥＳの場合、操作ボタン６６を押下し、メール機能をオンまたはインターネット機能をオンした瞬間に、アンテナ切換器８３は、上部アンテナ７２と無線部８２が接続するように制御される（ステップＳ３）。
【００７７】
その後、音声通話を実施するかメールまたはインターネットサービス利用を終了するまでは、上部アンテナ７２を使用して基地局との信号のやり取りを実施する（ステップＳ４）。
【００７８】
メールまたはインターネットサービス利用中に音声通話を実施するか否かの場合（ステップＳ５）、発着信ボタン６３を押下し音声通話状態にした瞬間に、アンテナ切換器８３は、下部アンテナ７１と無線部８２が接続するように制御される（ステップＳ６）。
【００７９】
その後、音声通話を終了し（ステップＳ８）、音声通話を実施する前のメールまたはインターネットサービス利用状態に戻る場合は、通信終了ボタン６４を押下し音声通話を終了するのと同時に、アンテナ切換器８３は、上部アンテナ７２と無線部８２が接続するように制御され（ステップＳ９）、再び上部アンテナ７２を使用して基地局との信号のやり取りを実施する（ステップＳ１０）。
【００８０】
その後、メールまたはインターネットサービス利用を終了する（ステップＳ１１）のと同時に、つまり操作ボタンを押下しメール機能をオフまたはインターネット機能をオフした瞬間に、アンテナ切換器８３は、下部アンテナ７１と無線部８２が接続するように制御される（ステップＳ１２）。
【００８１】
その後は、ステップＳ１に戻り、下部アンテナ７１を使用して待ち受け動作を実施する。
【００８２】
また、待ち受け動作中に音声通話状態になる場合、つまりステップＳ２の分岐をＮＯとし、なおかつ、ステップＳ１３の分岐をＹＥＳとした場合には、待ち受け動作中に使用していた下部アンテナ７１は、切り換ることなくそのまま基地局との信号のやり取りに使用される（ステップＳ１４）。
【００８３】
その後、音声通話を終了し（ステップＳ１５）、待ち受け動作に戻っても、下部アンテナ７１は、切り換ることなくそのまま基地局との信号のやり取りに使用される。即ち、ステップＳ１に戻る。
【００８４】
【発明の効果】
本発明による携帯電話装置は、携帯電話装置から放射される電波による人体への安全性を確保しつつ、メールサービスやインターネットサービス利用時における電波の送受特性に優れている。即ち、メールおよびインターネットサービス利用時に従来の携帯電話装置で生じていた通信品質が劣化するという問題を、解消できる。
【００８５】
その理由は、本発明である携帯電話装置は、携帯電話装置の下筐体と上筐体にそれぞれ下部アンテナと上部アンテナを有し、携帯電話装置を頭上部に接触させて使用する音声通話時には頭上部から離れた位置にある下部アンテナを使用することにより、携帯電話装置から放出される電波の人体頭部への影響を低減させていることである。そして、メールまたはインターネットサービス利用時には、上部アンテナを使用することにより、従来のごとく操作者の手によってアンテナを覆い隠されてアンテナの電気的特性が劣化されて通信品質が劣化されるという問題が解決される。
【図面の簡単な説明】
【図１】従来の携帯電話装置を示す斜視図である。
【図２】本発明の実施の形態による携帯電話装置を示す斜視図である。
【図３】本発明の実施の形態による携帯電話装置の主要な電気回路を示すブロック図である。
【図４】本発明の実施の形態による携帯電話装置の動作を説明するためのフロー図である。
【符号の説明】
１０、６０    携帯電話装置
１１、６１    下筐体
１２、６２    上筐体
１３、６３    発着信ボタン
１４、６４    通信終了ボタン
１５、６５    ダイヤルボタン
１６、６６    操作ボタン
２１    アンテナ
７１    下部アンテナ
７２    上部アンテナ
８１    制御部
８２    無線部
８３    アンテナ切換器
【図１】
2004328251.tif 000003
【図２】
2004328251.tif 000004
【図３】
2004328251.tif 000005
【図４】
2004328251.tif 000006